(57)【要約】【課題】種々の直径の長尺部材を保持するのに適した長尺部材保持用のクリップを提供する。【解決手段】クリップ１は、第１アーム５とヒンジ７を介して連結された第２アーム６とを有し、第１アーム５及び第２アーム６の連結手段の一方が、細長く延びるロック爪１０であり、他の連結手段が、ロック爪１０の係止爪に係止する係止肩１１を有するロック受け部１３であり、ロック爪１０にはその長手方向において離隔した２つの係止爪１４Ａ、１４Ｂが形成されて、２つの係止爪のいずれかがロック受け部の係止肩１１に係止すると第１アーム５と第２アーム６とが環を形成するように連結され、一方の係止爪１４Ａが係止肩１１に係止した場合と他方の係止爪１４Ｂが係止肩１１に係止した場合とでは環の大きさが異なる。【選択図】図１
2010025174.tif 000002
【特許請求の範囲】
【請求項１】
ワイヤハーネス等の長尺部材の周面の一部を保持する湾曲した第１アームと、前記第１アームの一端にヒンジを介して一端が連結されて前記長尺部材の周面の他の一部を保持する湾曲した第２アームとを有し、前記第１アームの他端と前記第２アームの他端のそれぞれに、該第１アーム及び第２アームを該両アームで環を形成するように連結するための連結手段が設けられている、長尺部材保持用のクリップであって、
前記第１アーム及び前記第２アームの前記連結手段の一方が、細長く延びるロック爪であり、前記第１アーム及び前記第２アームの前記連結手段の他方が、前記ロック爪を受入れて該ロック爪の係止爪に係止する係止肩を有するロック受け部であり、前記ロック爪にはその長手方向において離隔した少なくとも２つの係止爪が形成されており、前記ロック爪が前記ロック受け部に挿入されて前記少なくとも２つの係止爪のいずれかが前記ロック受け部の係止肩に係止すると前記第１アームと前記第２アームとが前記環を形成するように連結され、前記少なくとも２つの係止爪の一方が前記係止肩に係止した場合と前記少なくとも２つの係止爪の他方が前記係止肩に係止した場合とでは前記環の大きさが異なる、
ことを特徴とするクリップ。
【請求項２】
請求項１に記載のクリップにおいて、前記第１アーム又は前記第２アームの一方には、前記環の内側において該一方のアームへの連結部分から該一方のアームに沿って延びる第１弾性片と該第１弾性片の自由端に連結されて第１弾性片に沿って折返して延びる第２弾性片とが形成されており、前記第１弾性片は、前記一方のアーム側へ押圧されると該一方のアームとの前記連結部分を中心に他方のアームへ旋回する方向の反力が発生するよう形成され、前記第２弾性片は、前記第１弾性片側へ押圧されると該第１弾性片との連結部分を中心に前記他方のアーム側へ旋回する方向の反力が発生するように形成され、該第１弾性片及び該第２弾性片は、前記２つの反力を合成した反力が前記環の中央に向くように形成されている、ことを特徴とするクリップ。
【請求項３】
請求項２に記載のクリップにおいて、前記第１アームと前記第２アームのそれぞれに、前記第１弾性片と前記第２弾性片とが形成されている、ことを特徴とするクリップ。
【請求項４】
請求項３に記載のクリップにおいて、前記第１アームの前記第１弾性片と前記第２弾性片とで形成する第１の折返し形状と、前記第２アームの前記第１弾性片と前記第２弾性片とで形成する第２の折返し形状とが、前記環の中で軸心回りに軸対称の形状を成すように形成されている、ことを特徴とするクリップ。
【請求項５】
請求項１〜４のいずれか１項に記載のクリップにおいて、前記第１アームと前記第２アームの一方に、前記長尺部材を取付けるための被取付部材に取付けられる取付部が形成されている、ことを特徴とするクリップ。
【請求項６】
請求項５に記載のクリップにおいて、前記第１アームと前記第２アームの他方には、前記連結手段に隣接する端部に、該連結手段を前記一方のアームへの連結手段へ連結するのを補助するための指掛け部が形成されている、ことを特徴とするクリップ。
【請求項７】
請求項１〜６のいずれか１項に記載のクリップにおいて、前記第１アームの前記ヒンジに隣接する部分と前記第２アームの前記ヒンジに隣接する部分とには、前記ヒンジをカバーするように該ヒンジの中央に向けて延びる、一対のハーネス進入防止片が形成されている、ことを特徴とするクリップ。
【発明の詳細な説明】
【技術分野】
【０００１】
本発明は、ワイヤハーネス等の長尺部材を保持して被取付部材に長尺部材を取付けるのに適した長尺部材保持用のクリップに関し、特に、種々の直径の長尺部材を保持するのに適したクリップに関する。
【背景技術】
【０００２】
ワイヤハーネス等の長尺部材の周面の一部を保持する湾曲した第１アームと、この第１アームの一端にヒンジを介して一端が連結されて長尺部材の周面の他の一部を保持する湾曲した第２アームとを有し、第１アームの他端と第２アームの他端のそれぞれに、第１アーム及び第２アームを両アームで環を形成するように連結するための連結手段が設けられている、長尺部材保持用のクリップは知られている。
【０００３】
【特許文献１】実開平  ７−００２６９０号公報
【特許文献２】特開昭６０−０２３６１１号公報
【特許文献３】実開平  ５−００１０８４号公報
【特許文献４】実開昭５０−０６４８７４号公報
【特許文献５】実開昭６０−０１０９７８号公報
【特許文献６】実開昭６１−０９６７２０号公報
【発明の開示】
【発明が解決しようとする課題】
【０００４】
特許文献１に記載のクリップは、上記した公知のクリップの構成に加えて、第１アームには、環の内側において第１アームへの連結部分から第１アームに沿って延びる第１弾性片と第１弾性片の自由端に連結されて第１弾性片に沿って折返して延びる第２弾性片とが形成され、第１弾性片は、第１アーム側へ押圧されると第１アームとの連結部分を中心に第２アームへ旋回する方向の反力が発生するよう形成され、第２弾性片は、第１弾性片側へ押圧されると第１弾性片との連結部分を中心に第２アーム側へ旋回する方向の反力が発生するように形成され、第１弾性片及び第２弾性片は、前記２つの反力を合成した反力が前記環の中央に向くように形成されている。これによって、保持する長尺部材の外径が違っていても、被取付部材への取付部が設けられた第２アームの一定の位置に長尺部材を当接させて保持できるので好ましい。なお、第２アームには、パネル等の被取付部材に取付けられる取付部が設けられており、保持した長尺部材を被取付部材に固定できる。かかるクリップにあっても、ワイヤハーネス等の長尺部材の直径の違いに対して、更に広い範囲で対応できることが望まれている。
【０００５】
特許文献２のクリップは、特許文献１のクリップの第１アームに設けられた折返し形状に似た形状の弾性片を内側に有するので長尺部材を一定の位置に長尺部材を当接させて保持するが、第１アームと第２アームとをヒンジで連結して第１アームを第２アームに対してヒンジ回りに旋回させる構成がない。従って、特許文献２のクリップは、特許文献１のクリップと比べると、保持できる長尺部材の直径の範囲は広くなく、また、長尺部材を保持するために大きく開放して保持を容易に行うことができない。特許文献３に記載のクリップは、第１アームと第２アームとがヒンジで連結されて環を形成する構成を有し、第１アームと第２アームの内側には収容した長尺部材を弾性的に保持する弾性片が形成されている。このクリップの弾性片は折返し形状を持たない形状であり、その弾性範囲が大きくなく、保持できる長尺部材の直径の範囲は広くない。
【０００６】
特許文献４のクリップは、第１アームと第２アームとがヒンジで連結されて環を形成する構成を有し、第１アームと第２アームの内側には収容した長尺部材を弾性的に保持する弾性片が形成されている。更に、アームの連結手段は、多段のラチェット爪を形成したロック爪とロック受け部とで構成されて、環の大きさを変えることができる。このクリップの弾性片は、アームの内側に長尺部材の周面を押さえる保持片と保持片をアームに連結する一対の平行脚部とで成り、その平行脚部の弾性的な撓みによって長尺部材を弾性保持している。このクリップは、ラチェット爪を有するロック爪とロック受け部との係止によって長尺部材の直径の違いに対応できる構成であるが、弾性片による長尺部材の保持は、平行脚部の撓み変形によっているのでその変形範囲は大きくなく、保持できる長尺部材の直径の範囲は広くない。
【０００７】
特許文献５のクリップは、Ｕ字形状の本体と本体開放部を塞ぐカバーとから構成され、Ｕ字形状の本体の内側には底部付近に長尺部材の周面を弾性支持するようにブリッジ形状の弾性片が設けられている。更に、カバーは一方がヒンジで本体に連結されて本体開放部を開閉するように旋回でき、カバーの他方と本体の対応端部とには連結手段が設けられ、本体の連結手段は、カバーの連結高さを変えることができるように、高さの異なる第１係止片と第２係止片とで成り、両係止片がヒンジを介して本体端部に連結されている。このクリップは、本体に形成されたブリッジ形状の弾性片と、カバーの係止爪を本体の第１係止片又は第２係止片の一方に係止させることによって長尺部材の直径の違いに対応できる構成であるが、弾性片による長尺部材の保持はブリッジ形状の撓み変形によっており、また、第１係止片と第２係止片との長さの違いを大きくできないので、保持できる長尺部材の直径の範囲は広くない。また、第１係止片と第２係止片と形成するので複雑な形状となり、操作も面倒である。特許文献６のクリップは、環形状の保持部の内壁面から半径方向内側にたわみ変形できる弾性片を延ばして自由端に凸部を形成して、収容される長尺部材の周面の一部を弾性保持する。一の実施形態では弾性片は１つであるが、他の実施形態では、対向する２つの弾性片を設けて長尺部材を保持する。このクリップの長尺部材の保持は、弾性片の撓み変形によっており、弾性片の変形範囲は大きくなく、保持できる長尺部材の直径の範囲は広くない。
【０００８】
従って、本発明の目的は、ワイヤハーネス等の長尺部材を保持して被取付部材に長尺部材を取付けるのに適した長尺部材保持用のクリップであって、種々の直径の長尺部材を保持するのに適したクリップを提供することにある。
【課題を解決するための手段】
【０００９】
かかる目的を達成するため、本発明によれば、ワイヤハーネス等の長尺部材の周面の一部を保持する湾曲した第１アームと、第１アームの一端にヒンジを介して一端が連結されて長尺部材の周面の他の一部を保持する湾曲した第２アームとを有し、第１アームの他端と第２アームの他端のそれぞれに、第１アーム及び第２アームを両アームで環を形成するように連結するための連結手段が設けられている、長尺部材保持用のクリップであって、第１アーム及び第２アームの連結手段の一方が、細長く延びるロック爪であり、第１アーム及び第２アームの連結手段の他方が、ロック爪を受入れてロック爪の係止爪に係止する係止肩を有するロック受け部であり、ロック爪にはその長手方向において離隔した少なくとも２つの係止爪が形成されており、ロック爪がロック受け部に挿入されて少なくとも２つの係止爪のいずれかがロック受け部の係止肩に係止すると第１アームと第２アームとが環を形成するように連結され、少なくとも２つの係止爪の一方が係止肩に係止した場合と少なくとも２つの係止爪の他方が係止肩に係止した場合とでは環の大きさが異なることを特徴とするクリップが提供される。
【００１０】
上記のように、第１アームと第２アームが連結されてできる環の大きさが異なるので、種々の直径の長尺部材を保持するのに適したクリップを提供することができる。
【００１１】
上記クリップにおいて、第１アーム又は第２アームの一方には、環の内側において一方のアームへの連結部分から一方のアームに沿って延びる第１弾性片と第１弾性片の自由端に連結されて第１弾性片に沿って折返して延びる第２弾性片とが形成されており、第１弾性片は、一方のアーム側へ押圧されると一方のアームとの連結部分を中心に他方のアームへ旋回する方向の反力が発生するよう形成され、第２弾性片は、第１弾性片側へ押圧されると第１弾性片との連結部分を中心に他方のアーム側へ旋回する方向の反力が発生するように形成され、第１弾性片及び第２弾性片は、２つの反力を合成した反力が環の中央に向くように形成されている。第１アームと第２アームのそれぞれに、第１弾性片と第２弾性片とが形成されている。この場合、第１アームの第１弾性片と第２弾性片とで形成する第１の折返し形状と、第２アームの第１弾性片と第２弾性片とで形成する第２の折返し形状とが、環の中で軸心回りに軸対称の形状を成すように形成されている。
【００１２】
上記クリップにおいて、第１アームと第２アームの一方に、長尺部材を取付けるための被取付部材に取付けられる取付部が形成されている。第１アームと第２アームの他方に、連結手段に隣接する端部に、連結手段を一方のアームへの連結手段へ連結するのを補助するための指掛け部が形成されている。この指掛け部は、保持した長尺部材を取外す場合の連結解除を容易にする形状にすることもできる。更に、第１アームのヒンジに隣接する部分と第２アームのヒンジに隣接する部分とには、ヒンジをカバーするようにヒンジの中央に向けて延びる、一対のハーネス進入防止片が形成されている。
【発明を実施するための最良の形態】
【００１３】
以下、本発明の実施形態について図面を参照して説明する。図１には、本発明の１実施形態に係るワイヤハーネス等の長尺部材保持用のクリップ１が示されている。クリップ１は、プラスチックの一体成形品で成る。図２〜図５は、被取付部材としてのパネル２にクリップ１を取付けて、長尺部材としてのワイヤハーネス３を保持してパネル２に取付ける操作を示している。図６及び図７は、クリップ１に、大径のワイヤハーネス３Ａ及び小径のワイヤハーネス３Ｂを保持した様子を示している。
【００１４】
図１において、クリップ１は、ワイヤハーネス等の長尺部材の周面の一部を保持する湾曲した第１アーム５と、ワイヤハーネス等の長尺部材の周面の他の一部を保持する湾曲した第２アーム６と、第１アーム５の一端と第２アーム６の一端とを旋回可能に連結する薄肉のヒンジ７とを備える。図示の実施形態において、第２アーム６のほぼ中間には、その外側に、被取付部材としてのパネルに設けられた穴に取付けられる、錨脚形状の取付部９が形成されており、第２アーム６がクリップ１の本体として形成されている。従って、図示の実施形態においては、第１アーム５は、本体である第２アームの開放部分を覆うカバーとして形成されている。なお、第１アーム５、第２アーム６及びヒンジ７は、ワイヤハーネスの軸方向に沿った幅（図１の紙面の垂直な方向における長さ）は、任意であるが、例えば、特許文献１の図２等に示される程度の短い長さであり、ワイヤハーネスを保持するのに支障が無ければ、短くても長くてもよい。また、取付部９は、図示の実施形態では錨脚形状に形成されているが、被取付部材に取付けることができるものであれば他の形状取付手段であってもよい。例えば、被取付部材としてのパネルにスタッドボルトが固着されている場合には、そのスタッドボルトに係止する取付手段でもよく、パネルにボタン頭付きのＴスタッドが固着されている場合には、そのＴスタッドに係止する取付手段であってもよい。
【００１５】
ヒンジ７で旋回可能に連結された第１アーム５及び第２アーム６のそれぞれの自由端には、第１アーム５及び第２アーム６を両アームで環を形成するように連結するための連結手段が設けられている。図示の実施形態において、第２アーム６の連結手段は、細長く延びるロック爪１０であり、第１アーム５の連結手段は、ロック爪１０を受入れてロック爪１０の係止爪（１４Ａ又は１４Ｂ）に係止する係止肩１１を有するロック受け部１３である。ロック爪１０にはその長手方向において離隔した、少なくとも２つの係止爪１４Ａ、１４Ｂが形成されており、ロック爪１０がロック受け部１３に挿入されて少なくとも２つの係止爪１４Ａ、１４Ｂのいずれかがロック受け部１３の係止肩１１に係止すると、第１アーム５と第２アーム６とが環を形成するように連結され、少なくとも２つの係止爪の一方（１４Ａ）が係止肩１１に係止した場合と、少なくとも２つの係止爪の他方（１４Ｂ）が係止肩１１に係止した場合とでは環の大きさが異なる（図６及び図７参照）。なお、ロック爪１０の係止爪の数は、２つ以上であれば任意であり、例えば、３個又は４個であってもよい。また、ロック受け部１３は、受入れたロック爪１０の係止爪１４Ａ、１４Ｂを係止肩１１に確実に係止させるため、係止肩１１に対向する側にロック爪１０を弾性的に押さえる弾性支持片１５を備えている。
【００１６】
第１アーム５及び第２アーム６には、環の内側にワイヤハーネスを弾性的に保持する折返し形状の弾性保持片が形成されている。第１アーム５において、ロック受け部１３の根元に隣接する位置の連結部分から第１アーム５に沿って延びる第１弾性片１７と第１弾性片１７の自由端に連結されて第１弾性片１７に沿って折返して延びる第２弾性片１８とが形成されている。第２アーム６においては、取付部９が設けられている位置の連結部分から第２アーム６に沿って延びる第１弾性片１７Ａと第１弾性片１７Ａの自由端に連結されて第１弾性片１７Ａに沿って折返して延びる第２弾性片１８Ａとが形成されている。第１弾性片及び第２弾性片で成る弾性保持片は、第１アーム５又は第２アーム６の一方であってもよいが、図示の実施形態においては両アームに設けられており、それによって、ワイヤハーネスの保持力及びワイヤハーネスの直径の違いに対して、より広い範囲にわたって保持できるようにしている。図示の実施形態において、第２弾性片１８（１８Ａ）には、ワイヤハーネスに対面する面（内側に向かう面）に、長手方向に間隔をおいた複数の突起１９が形成されている。これによって、保持したワイヤハーネスの軸心回りの回転を阻止する力が大きくなる。
【００１７】
更に、第１弾性片１７（１７Ａ）と第２弾性片１８（１８Ａ）とは、特定の弾性力でワイヤハーネスを弾性的に保持するように形成されるのが好ましい。すなわち、第１弾性片１７は、第１アーム５の側へ押圧されると第１アーム５との連結部分を中心に第２アーム６へ旋回する方向の反力が発生するよう形成され、第２弾性片１８は、第１弾性片１７側へ押圧されると第１弾性片１７との連結部分を中心に第２アーム６側へ旋回する方向の反力が発生するように形成され、第１弾性片１７及び第２弾性片１８は、２つの反力を合成した反力が環の中央に向くように形成される。この第１アーム５の第１弾性片１７と第２弾性片１８の弾性力の関係は、第２アーム６の第１弾性片１７Ａと第２弾性片１８Ａとの関係においても同じに形成される。更に、図１に図示のように、第１アーム５の第１弾性片１７及び第２弾性片１８とで形成する第１の折返し形状と、第２アーム６の第１弾性片１７Ａと第２弾性片１８Ａとで形成する第２の折返し形状とが、第１アーム５と第２アーム６で形成する環の中で軸心回りに軸対称（又は軸心を点とする点対称）の形状を成すように形成されている。これらによって、弾性保持片（１７、１８、１７Ａ、１８Ａ）がワイヤハーネスを保持する力が高く維持され、また、ワイヤハーネスの直径の違いに対しても、より広い範囲で対応できる。
【００１８】
また、第１アーム５には、連結手段であるロック受け部１３に隣接する端部に、ロック受け部１３を第２アームのロック爪１０に近づけてロック爪１０の係止爪１４Ａ又は１４Ｂを係止肩１１に係止させるのを補助するための指掛け部２０が形成されている。この指掛け部２０の形状を、保持した長尺部材を取外す場合の連結解除を容易にする形状にするのが好ましい。更に、第１アーム５のヒンジ７に隣接する部分と第２アーム６のヒンジ７に隣接する部分には、ヒンジ７をカバーするようにヒンジ７の中央に向けて延びる一対のハーネス進入防止片２１が形成されている。このハーネス進入防止片２１によって、ワイヤハーネスが薄肉で形成されたヒンジ７に接触するのを回避してヒンジ７がワイヤハーネスによって破断されるのを回避する。
【００１９】
上記構成のクリップ１を用いて、長尺部材としてのワイヤハーネス３を、被取付部材としてのパネル２に取付ける操作を、図２〜図５を参照して説明する。図２において、クリップ１は、第１アーム５を第２アーム６に対して連結しない開放状態にされている。そのクリップ１の取付部９をパネル２の取付穴２２に挿入する。これによって、クリップ１がパネル２に取付けられる。図３において、パネル２に取付けられたクリップ１に、ワイヤハーネス３が、開放状態にある第１アーム５第２アーム６との開放部分から、ワイヤハーネス２が両アーム５及び６の内側に収容され、その周面の一部が第２アーム６の第２弾性片１８Ａに接触するように配置される。次に、図４に図示のように、第１アーム５の指掛け部２０に作業者が指を掛けて矢印２３のように力を加えると、第１アーム５がヒンジ７の回りに第２アーム６の側に旋回して、ロック受け部１３がロック爪１０を受入れるように押込められる（破線の矢印２５参照）。
【００２０】
上記の押込みによって、図５に図示のように、ワイヤハーネス３の周面の一部に接触する第２弾性片１８及び第１弾性片１７が第１アーム５に向けて押圧されて変形され、この変形に伴なう反力をワイヤハーネス３に与え、反力を受けたワイヤハーネス３が、第２アーム６の第２弾性片１８Ａを押圧し更に第１弾性片１７Ａを第２アームに向けて押圧して変形され、反力を発生する。これらの反力によって、ワイヤハーネス３は、第１アーム５と第２アーム６で形成された環の中で高い支持力で保持される。また、ロック爪１０を受入れたロック受け部１３はその係止肩１１がロック爪１０の係止爪１４Ａ又は１４Ｂに係止して、第１アーム５と第２アーム６で形成された環をそのまま維持する。係止肩１１に係止爪１４Ａが係止する場合は、大径のワイヤハーネスであり、係止肩１１に係止爪１４Ｂが係止する場合は小径のワイヤハーネスである。なお、係止肩１１と係止爪１４Ａ又は１４Ｂがクリップ１又はワイヤハーネス３の振動によって係止が外れる方向に移動しようとしても、ロック受け部１３の弾性支持片１５によって係止肩１１と係止爪１４Ａ（又は１４Ｂ）との係止は確実に維持される。このようにして、ワイヤハーネス３は、クリップ１によってパネル３に取付けられる。なお、ワイヤハーネス３を取外す場合には、図５の状態において、指掛け部２０を連結時とは反対の方向（矢印２６）に押せば、係止肩１１と係止爪１４Ａ（又は１４Ｂ）の係止が解除されて、図４の連結解除の状態にでき、ワイヤハーネス３を取外すことができる。
【００２１】
図６と図７を参照して、クリップ１に、大径のワイヤハーネス３Ａ及び小径のワイヤハーネス３Ｂを保持する場合の様子を説明する。図６において、クリップ１に大径のワイヤハーネス３Ａが保持される。この場合は、ロック受け部１３の係止肩１１には、ロック爪１０の先端側の係止爪１４Ａが係止して、第１アーム５と第２アーム６で形成する環を大きく形成する。また、第１アーム５の第１弾性片１７及び第２弾性片１８は大きく変形するとともに第２アーム６の第１弾性片１７Ａ及び第２弾性片１８Ａも大きく変形して、大径のワイヤハーネス３Ａを無理なく収容して確実に保持する。
【００２２】
図７においては、クリップ１に小径のワイヤハーネス３Ｂが保持される。この場合は、ロック受け部１３の係止肩１１に、ロック爪１０の先端側の係止爪１４Ａではなく、第２の係止爪１４Ｂが係止して第１アーム５と第２アーム６で形成する環を小さく形成する。また、第１アーム５の第１弾性片１７及び第２弾性片１８の変形も小さくなるとともに第２アーム６の第１弾性片１７Ａ及び第２弾性片１８Ａの変形も小さくなる。これらの第１弾性片１７（１７Ａ）及び第２弾性片１８（１８Ａ）の変形が小さくても、第１アーム５と第２アーム６で形成する環が小さく形成されているので、小径のワイヤハーネス３Ｂを収容して十分な保持力で確実に保持する。
【００２３】
上記のように、第１アーム５と第２アーム６が連結されてできる環の大きさを変えており、第１アーム５と第２アーム６の内側の第１弾性片及び第２弾性片が十分な保持力を生成するので、種々の直径のワイヤハーネス（長尺部材）を保持することができる。
【図面の簡単な説明】
【００２４】
【図１】本発明の１実施形態に係る長尺部材保持用のクリップの正面図である。
【図２】図１のクリップを被取付部材であるパネルに取付ける前の正面図である。
【図３】パネルに取付けた図２のクリップにワイヤハーネスを保持する前の正面図である。
【図４】ワイヤハーネスを収容して第１アームをヒンジ回りに旋回させる前の図３のクリップの正面図である。
【図５】ワイヤハーネスを保持した図４のクリップの正面図である。
【図６】大径のワイヤハーネスを保持した図１のクリップの正面図である。
【図７】小径のワイヤハーネスを保持した図１のクリップの正面図である。
【符号の説明】
【００２５】
１  クリップ
２  パネル（被取付部材）
３：３Ａ：３Ｂ  ワイヤハーネス
５  第１アーム
６  第２アーム
７  ヒンジ
９  取付部
１０  ロック爪
１１  係止肩
１３  ロック受け部
１４Ａ：１４Ｂ  係止爪
１５  弾性支持片
１７：１７Ａ  第１弾性片
１８：１８Ａ  第２弾性片
１９  突起
２０  指掛け部
２１  ハーネス進入防止片
２２  パネルの取付穴
【図１】
2010025174.tif 000003
【図２】
2010025174.tif 000004
【図３】
2010025174.tif 000005
【図４】
2010025174.tif 000006
【図５】
2010025174.tif 000007
【図６】
2010025174.tif 000008
【図７】
2010025174.tif 000009